(57)【特許請求の範囲】
【請求項１】
屋外に設置され，壁面４面により周囲を仕切られる喫煙室であって，
一壁面に灰皿を配置させるテーブルを設け，
前記テーブルの下方において，前記一壁面に，外気の取入れ口を設け，
前記取入れ口の外部上方に防雨具が取り付けられ，
前記テーブルの上方においては，前記一壁面に排気口が形成され，
前記テーブルの上方において，前記一壁面から間隔をおいて耐食材料からなる外壁が設けられ，
前記テーブルよりも上方において，前記一壁面と前記外壁との間に排気チャンバが設けられ，
該排気チャンバ内の空気を外部に排気する排気ファンを設けたことを特徴とする，喫煙室。
【請求項２】
前記排気ファンを天井面の上方に設けたことを特徴とする，請求項１に記載の喫煙室。
【請求項３】
前記壁面４面の少なくとも２面を互いに折曲げ自在に接続し，前記テーブルを，前記一壁面に対して折畳み自在に設けたことを特徴とする，請求項１又は２に記載の喫煙室。
【請求項４】
電話ボックスを改造したものであることを特徴とする，請求項１又は２に記載の喫煙室。
【発明の詳細な説明】
【技術分野】
【０００１】
本発明は，喫煙ブースその他喫煙を許容する空間（以下，本発明において「喫煙室」という）に関する。
【背景技術】
【０００２】
近年，健康増進法の施行により，公共施設などでは喫煙を限られた空間においてのみ許容するようになっている。また最近では，建物内に限らず，屋外においても所定の地域内では喫煙が禁止され，区画された喫煙室のみにおいて喫煙が許容されている場合もある。そのように喫煙が許容された喫煙室では，人のいる高さにおいて，煙草の煙を喫煙室の周囲に漏らさないことが重要である。さらに，喫煙室内においても，煙草の煙が衣服に付着しないこと，喫煙室内に煙が充満することによって喫煙者が必要とする以上の煙を吸込まないことが望まれる。
【０００３】
本出願人の先行技術調査の結果では，（１）灰皿近くに設けた空気吹き出し器で上向き気流を生成させ，対向する排気口から排気するもの（特許文献１），（２）喫煙者の足下近くに空気を吹き出す吹出口と天井近くの吸込口を備えた空気浄化装置を設置し，かつテーブルに上向き気流を生成するミニ送風機を複数設置するもの（特許文献２），（３）同様に下吹出し上吸込み空気清浄機を用い，吸込み風量のうち下部吹出しの給気量と排気量の割合を１：４（吸込量は吹出量の５倍）に分流させるもの（特許文献３）が見出された。
【０００４】
【特許文献１】特開平１０−１７００３６号公報
【特許文献２】特開平５−２３７３２１号公報
【特許文献３】特開平１０−３８１号公報
【発明の開示】
【発明が解決しようとする課題】
【０００５】
しかし，前記した（１）から（３）の発明では，喫煙者にドラフト感を感じさせる。また室内に機器類を設置するため，省スペースの要望に応えられない。また，ミニ送風機や空気清浄機などのコストがかかる。また，屋外などにおいて設置するのが容易ではなく，不要になった場合には撤去に手間がかかるといった難点がある。
【０００６】
本発明の目的は，上述の課題を解決するほか，屋外などにおいて簡単に設置でき，撤去も容易な喫煙室を提供することにある。
【課題を解決するための手段】
【０００７】
本発明によれば，屋外に設置され，壁面４面により周囲を仕切られる喫煙室であって，一壁面に灰皿を配置させるテーブルを設け，前記テーブルの下方において，前記一壁面に，外気の取入れ口を設け，前記取入れ口の外部上方に防雨具が取り付けられ，前記テーブルの上方においては，前記一壁面に排気口が形成され，前記テーブルの上方において，前記一壁面から間隔をおいて耐食材料からなる外壁が設けられ，前記テーブルよりも上方において，前記一壁面と前記外壁との間に排気チャンバが設けられ，該排気チャンバ内の空気を外部に排気する排気ファンを設けたことを特徴とする，喫煙室が提供される。
【０００８】
前記排気ファンを天井面の上方に設けても良い。また，前記壁面４面の少なくとも２面を互いに折曲げ自在に接続し，前記テーブルを，前記一壁面に対して折畳み自在に設けても良い。
【発明の効果】
【０００９】
本発明によれば，喫煙者のアメニティを確保した省スペースの喫煙室を容易に設けることができる。この喫煙室は，屋外などにおいて簡単に設置でき，撤去も容易である。
【発明を実施するための最良の形態】
【００１０】
以下，本発明の好ましい実施の形態を図面を参照に説明する。なお，本明細書および図面において，実質的に同一の機能構成を有する構成要素については，同一の符号を付することにより重複説明を省略する。図１，２は，本発明の実施の形態に係る喫煙室１の構成を説明するための正面図と平面図である。図３は，テーブル２０と給気口２５および排気口２６が設けられている壁面１０ｂの正面図を示している。
【００１１】
喫煙室１は，その周囲を壁面４面１０ａ，１０ｂ，１０ｃ，１０ｄで囲み，上下を天井面１１と床面１２（基台１２’の上面）で囲むことにより，喫煙をするための仕切られた直方体の空間に形成されている。
【００１２】
図示の喫煙室１では，一つの壁面１０ａにドア１５が設けられている。喫煙者は，このドア１５を開閉することにより，喫煙室１に対して出入りすることができる。このドア１５が閉められると，人の居住高さにおいては，喫煙室１の内部から周囲に空気が漏れ出ないようになる。
【００１３】
ドア１５が設けられている壁面１０ａと直交する一方の壁面１０ｂの内側面には，テーブル２０が設けてある。テーブル２０は，喫煙室１に入った喫煙者の腰の高さ近傍に，室内方向に例えば４００ｍｍ程度の奥行きで壁面１０ｂの幅いっぱいに設けられている。この実施の形態では，２５００ｍｍの高さの喫煙室１に対して，テーブル２０の高さを床上９００ｍｍとしている。このテーブル２０の上に灰皿を置くことができる。灰皿はテーブル２０上に固定配置されていても良い。また，壁面１０ｂには，このテーブル２０の下方において，外から喫煙室１の内部に外気を取り入れる外気の取入れ口２５が壁面１０ｂの下方を開口して設けられ，テーブル２０の上方において，室内の空気を吸引排気する排気口２６が設けられている。なお，後述するように本喫煙室１を屋外に設置する場合には，取入れ口２５の外部上方に図示しないひさし等の防雨具を取り付けることが望ましい。
【００１４】
ドア１５が設けられている壁面１０ａと対向する壁面１０ｃ及びドア１５が設けられている壁面１０ａと直交する他方の壁面１０ｄ（前記一方の壁面１０ｂに対向する他方の壁面１０ｄ）と床面１２は，何れも実質的に喫煙室１の内部から外に空気を流通させない閉鎖面となっている。壁面１０ｃ，１０ｄは，例えばガラス面などとしても良い。
【００１５】
テーブル２０の下方においては，壁面１０ｂは例えば通気性のない一枚もののパネルで構成される。テーブル２０の下方に配置される給気口２５は，壁面１０ｂの下部において幅方向に長いスリット形状になっている。この実施の形態では，床上１００ｍｍの位置に幅７００ｍｍのスリット形状の給気口２５が，５００ｍｍの間隔をおいて２つ配置してある。
【００１６】
テーブル２０よりも上方において，壁面１０ｂには，多数の円孔からなる排気口２６が全体的に分布形成されている。テーブル２０よりも上方においては，壁面１０ｂは，その内壁面に多数の排気口２６が開口している。加工上の便宜から，図示の形態では，テーブル２０よりも上方において壁面１０ｂの内壁面を，略幅方向一杯に，等間隔で複数の排気口２６を開口したパンチングメタル２８で構成している。そして，テーブル２０よりも上方における壁面１０ｂ（パンチングメタル２８）から間隔をおいてステンレス等の耐食材料からなる外壁が立設されている。そしてこの外壁は壁面１０ｂのテーブル２０の高さ以下の外壁面とは，室外から見て面一になっている。
【００１７】
このように，テーブル２０よりも上方において，壁面１０ｂ（パンチングメタル２８）と外壁で形成されてる，壁面１０ｂと略同幅の区画内部に形成された空間を，排気チャンバ３１としている。
【００１８】
この排気チャンバ３１の下面は，テーブル２０の上面によって閉塞された状態になっている。一方，排気チャンバ３１の上面は，喫煙室１の上方に形成された天井裏空間３２に連通している。なお，排気チャンバ３１の左右両側は，ドア１５が設けられている壁面１０ａおよび該壁面１０ａに対向する壁面１０ｃによってそれぞれ閉塞されている。
【００１９】
天井裏空間３２には排気ファン３３が設けられている。この排気ファン３３の稼動により，喫煙室１内の煙草煙で汚染された空気が，テーブル２０よりも上方において，壁面１０ｂに形成された多数の排気口２６を通じて排気チャンバ３１内に吸い込まれ，天井裏空間３２からダクト３４を経て外部に排気されるようになっている。
【００２０】
このように，排気ファン３３の稼動で喫煙室１内の煙草煙で汚染された空気を外部に排気することにより，喫煙室１の内部が減圧され，壁面１０ｂにおいてテーブル２０の下方に配置された給気口２５から，外気が喫煙室１の内部に吸い込まれることになる。この場合，排気ファン３３による排気量を調整することにより，給気口２５から吸い込まれる給気の風速が０．３〜０．７ｍ／ｓｅｃとなるようにすることが好ましい。そのために，排気口２６からの排気風速は，例えば０．１〜０．３ｍ／ｓｅｃ（本実施の形態では平均０．２ｍ／ｓｅｃ）で吸込むようにする。なお，給気口２５からの給気を排気ファン３３の稼動によって行うことで，喫煙室１内を常に負圧に保ち，人の居住域レベルでの室外への汚染空気の漏出を避けている。
【００２１】
以上のように構成された喫煙室１にあっては，喫煙室１内の煙草煙で汚染された空気を，テーブル２０上方において壁面１０ｂ全体に分布した多数の排気口２６から排気チャンバ３１内に吸い込んで，天井裏空間３２からダクト３４を経て外部に排気することにより，喫煙者のアメニティを確保した喫煙空間を実現できる。また，テーブル２０下方の給気口２５から吸い込まれる給気の風速を０．３〜０．７ｍ／ｓｅｃの低速とすることにより，給気口２５から喫煙室１内に向けて吸い込まれた空気が，壁面１０ｂに向う方向に反転して排気口２６に吸い込まれる反転流を形成し，少ない換気回数で喫煙室１内を換気できるようになる。例えば天井面に給気口と排気口を備えたシステムでは換気回数６０回であるところ，本発明の実施の形態の喫煙室１によれば換気回数が２０回に低減した。換気回数を低減すれば，省エネルギーに寄与するほかダクトのサイズダウンにつながり設備費・運転費ともに安価になる。また低速，小風量で空気を流通させることから，排気チャンバ３１の厚みも，壁１ｂの幅いっぱいを利用することと相俟ってきわめて薄く抑えられる。
【００２２】
また，テーブル２０上面付近で喫煙された煙は，テーブル２０よりも上方において壁面１０ｂに分布して配置された排気口２６から速やかに排出されることになる。こうして，排気チャンバ３１に吸い込まれた空気が，外部に排気される。その際，テーブル２０は，気流のセパレータとして気流性状に重要な意義を有する。
【００２３】
また，この喫煙室１は，屋外などにおいても基台１２’や既設のコンクリート床面その他地面に固定することで簡単に設置することができ，撤去も容易にできる。この喫煙室１は，公共施設や喫煙が禁止された所定の地域などの他，例えば展示会やイベントなどを行う臨時の会場や施設向けの仮設喫煙ブースとして利用できる。また，この喫煙室１を，バスターミナル，病院建物に隣接する屋外に設置しても良いし，喫煙バスに適用することもできる。屋外に喫煙室１を設置しておけば，雨の日でも傘を差さずに喫煙でき，人の集まる屋外でも分煙できるようになる。
【００２４】
以上，本発明の好ましい実施の形態を一例を示したが，本発明はここに例示した形態に限定されない。例えばテーブル２０は，図４中に点線で示したように，折畳み自在な構成としても良い。また図５に示すように，天井面１１を構成する天井板と壁面１０ａ，１０ｂ，１０ｃ，１０ｄを構成する各壁材とを予め雌雄接合，その他着脱自在な構成としておき，喫煙室１の周囲を囲んでいる壁面４面１０ａ，１０ｂ，１０ｃ，１０ｄを互いに折り曲げ自在に接続しても良い。このように壁面４面１０ａ，１０ｂ，１０ｃ，１０ｄを互いに折り曲げ自在に接続しておけば，対角線上の隅角部を押して，図５中に点線で記載したように，各壁面１０ａ，１０ｂ，１０ｃ，１０ｄ同士を互いの接続部分で折り曲げ，例えば，壁面１０ａ，１０ｄを密着させ，壁面１０ｂ，１０ｃを密着させることにより，喫煙室１を折畳んだ状態にすることができる。この場合，壁面１０ａ，１０ｂを密着させ，壁面１０ｃ，１０ｄを密着させても，同様に喫煙室１を折畳んだ状態にすることができる。また，このように喫煙室１を折畳んだ状態にする際には，図４に示すようにテーブル２０を下方に折畳むことにより，テーブル２０が邪魔とならず，喫煙室１を容易に折畳んで幅の狭いフラットな状態にすることができる。この喫煙室１にあっては，喫煙室１内へ給気する給気チャンバーなどが不要のため，折畳んだ際により薄型にできる。このようにフラットな状態に折畳まれた喫煙室１は，トラックなどの荷台に複数重ねて搭載することができ，嵩張らないので運搬に便利である。テーブル２０や壁面を構成する壁部材の折り畳みには，ヒンジ，その他の公知の手段が適用できる。
【００２５】
また，設置現場においては，各壁面１０ａ，１０ｂ，１０ｃ，１０ｄ同士を互いの接続部分の折り曲げ角度が９０°となるように広げて基台１２’の上に乗せ，更に天井面１１を上に載せることにより，喫煙室１を簡単に設置することができる。また，このように，各壁面１０ａ，１０ｂ，１０ｃ，１０ｄ同士の接続部分の折り曲げ角度が９０°となるように広げた際には，テーブル２０を水平な状態に戻すことにより，各壁面１０ａ，１０ｂ，１０ｃ，１０ｄ同士を広げた状態に維持することができ，直方体に形成された喫煙室１の形状を保つことができる。なお，基台１２’と天井面１１は，各壁面１０ａ，１０ｂ，１０ｃ，１０ｄと取り付け外し自在な構造（凹凸雄雌によって嵌めあわす構造等）とする。
【００２６】
また，このように喫煙室１を一旦設置しても，上述のように，テーブル２０を再び下方に折畳み，各壁面１０ａ，１０ｂ，１０ｃ，１０ｄ同士を互いの接続部分で折り曲げて，幅の狭いフラットな状態にすることにより容易に撤去でき，複数の喫煙室１をトラックなどの荷台に重ねて搭載することにより，嵩張らない状態で運搬できるといった利点がある。
【００２７】
また，図１〜３では，テーブル２０上方において壁面１０ｂに排気口２６を配置した例を示した。しかしながら，例えば図６に示すように，更に，天井面１１の壁面１０ｂ寄りの箇所にも，室内の空気を吸引排気する排気口３５を設けても良い。かかる構成によれば，テーブル２０上に置かれる灰皿の高さ位置の下方に給気口２５が位置し，灰皿の高さ位置の上方に排気口２６，２７が位置することとなる。このように天井面１１の壁面１０ｂ寄りの箇所に排気口３５を設ければ，熱気を含むことにより天井部まで上昇した煙草の煙を排気口３５から吸込んで排気できるようになる。
【００２８】
また，図１中に一点鎖線で示したように，喫煙室１の天井部に遮蔽体４０を設けてもよい。かかる遮蔽体４０は，テーブル２０と排気口２６が設けられている壁面１０ｂと略平行に配置された板部材からなり，喫煙室１の上方において，排気口２６（壁面１０ｂ）に向って流れる空気を部分的に遮るように配置される。この遮蔽体４０と喫煙室１の天井面１１との間には，開放空間４１を設ける。遮蔽体４０として，例えば，高さ２５０ｍｍの鋼板製の板を金具を介してボルトで吊り下げ，遮蔽体４０の上端と天井面１１の間には高さ５０ｍｍの隙間（開放空間４１）を設ける。遮蔽体４０の材質としては，例えば錘付きのビニールカーテンやステンレス板，アクリル板でもよく，これらの上部をあらかじめ切欠加工したものを天井面１１に直付けして前記開放空間４１を形成しても良い。なお，遮蔽体４０の位置は，テーブル２０と排気口２６の形成された壁面１０ｂとそれに対向する壁面１０ｄの略中間（本実施の形態では奥行き１８５０ｍｍに対し９５０ｍｍの位置）の幅方向いっぱいに垂下されている。そしてその下端は喫煙者の頭部より上（本実施の形態では天井高さ２５００ｍｍに対し高さ２２００ｍｍの位置）に配置されている。
【００２９】
かかる遮蔽体４０を喫煙室１の天井部に設ければ，給気口２５から喫煙室１に向けて吸い込まれた空気が，壁面１０ｂに向う方向に反転して排気される途中で，遮蔽体４０の上下を通過することになる。本発明者らの知見によれば，遮蔽体４０を喫煙室１の天井部に設置しない場合，室内天井部近くで煙の渦が発生することが視認された。これが滞留すると喫煙者の頭部へ煙が付着するなどのおそれがある。そこで，本発明者らは喫煙室１の天井部に遮蔽体４０を設けることで煙渦滞留を未然に防止することに成功した。また喫煙室１の在室者が例えば灰皿の位置から離れて移動しても，排気口２６からの吸引による反転流と遮蔽体４０周囲の風みちにより有効に排気がなされることが判明した。
【００３０】
また，このような遮蔽体４０は喫煙室１の天井面１１や，壁面１0ａ，１０ｃなどに固定した構成でも良いが，例えば遮蔽体４０として，ロールブラインドを用いることができる。かかる構成とすれば，市販の製品を使って簡便に隙間のある遮蔽体４０を形成できる。なお，この場合，開放空間４１としては，天井面１１からの吊具とロールブラインドとの間の隙間を利用できる。また，遮蔽体４０として，アクリル板等のケース内に蛍光灯などのランプを内蔵させた照明や，蛍光灯などのランプに透明な垂れ幕を付属させた照明を用いることができる。このように照明を利用すれば，遮蔽体４０として特別な部材を追加することなく，もともと必要な部材（照明）を使って遮蔽効果が得られる。また，遮蔽体４０は多少傾斜していてもよく，設置手段は天井面１１から垂下するほか脚付きスタンドで支持されていてもよい。その下端の高さは，室内の喫煙者が起立したときの呼吸器の高さより高く，望ましくは頭部の位置より高いと移動の邪魔にならない。またその下端はドア１５の高さより高くすることが望ましい。
【００３１】
図１〜３では，喫煙室１の周囲を仕切る壁面４面のうちの一壁面１０ｂにテーブル２０を設け，その上下に給気口２５と排気口２６を設けた形態を示した。しかしながら，本発明は，喫煙室１の周囲を仕切る壁面４面のうちの一壁面１０ｂとそれに対向する他の一壁面１０ｄにテーブル２０を設け，その上下に給気口２５と排気口２６をそれぞれ設けた構成としても良い。かかる構成によっても，先に図１〜３で説明した喫煙室１と同様に，喫煙室１内に向けて給気した空気が，壁面１０ｂ，１０ｄに向う方向にそれぞれ反転して排気口２６に吸い込まれる反転流を形成し，少ない換気回数で喫煙室１内を換気できるようになる。また，喫煙室１内では，喫煙者とその衣服は煙排出の一方向流に曝されることで煙の影響を最小限に抑えられると共に，室外への煙の漏洩もほとんどなくなる。このような喫煙室１は，比較的大型の喫煙室や人数の多い喫煙室に適している。
【００３２】
その他，テーブル２０は壁面１０ｂや壁面１０ｄと一体で作りつけられていてもよいし，脚付きの別体テーブルとして壁面１０ｂや壁面１０ｄに隣接して設置されていても良い。また，壁面１０ａ，１０ｂ，１０ｃ，１０ｄ，天井１１及び床面１２，遮蔽体４５には光触媒を塗布しておき，適宜紫外線を照射可能にしておくと，汚れ対策となり清掃の頻度を低減できる。
【００３３】
本発明によれば，煙草の煙が通常発生する位置を基準に給気口と排気口を設定しているため，煙草の煙は新鮮空気とともに反転流により室外へ速やかに排出される。すなわち少風量で換気ができ省エネルギーに貢献する。なお，テーブル２０の下方において喫煙室１内に外部から空気を吸い込む給気口２５を壁面１０ｂや壁面１０ｄの下部において幅方向に長いスリット形状とすることにより，幅方向に長い帯状または線状の気流を給気することができ，給気が幅方向に長い横長形状で室内に吹き出される様子となる。これにより，いわゆる置換換気と同様，床を這う気流が喫煙室１の対向面に向かって吹き出される構成となる。給気口２５は幅方向に連続した開口であってもよく，断続していてもよい。また本出願人が商品名「ＳＷＩＴ」として販売する旋回流形成機構（特開２００２−３７２２６８号公報参照）を用いてもよい。
【００３４】
また，この喫煙室１は，例えば使わなくなった電話ボックスを改造して構成しても良い。この場合，電話機を撤去し，電話機の設置されていた面に給排気面を形成することにより，容易に製造できる。このように，現状撤去されつつある電話ボックスを再生でき，路上禁煙の時代に好適に対応できる。この場合，既存の電話ボックスから電話機を撤去し，今まで電話機を載せていた置台をテーブル２０として活用し，そのテーブル２０（今まで電話機を載せていた置台）の上方に外壁と適当な間隔をあけてパンチング板を設置することで，簡単に排気チャンバ３１を形成することができる。また，テーブル２０（今まで電話機を載せていた置台）の下方において外壁に給気口２５を開口させ，例えば電話ボックスの屋根上など適当な箇所に設置した排気ファン３３によって排気チャンバ３１内の空気を排気するように構成すればよい。なお，電話ボックスに既存の排気口等がある場合は，それが給気口２５として利用できない箇所にあるものは塞ぐことが望ましい。なお，排気ファン動力は，例えば太陽電池とバッテリーなどを利用しても良い。また，コインを投入すると排気ファンが運転されるように構成しても良い。
【００３５】
本発明によれば，前述の諸利点を享受しうるほか，給排気機能と灰皿を配置させるテーブル２０が備えられていて，プレハブ化された部材として，建て込むだけで容易に喫煙室１を容易に形成できる。なお，ドア１５からのアンダーカット，その他の開口をなくし，ドア１５周囲との間をパッキンや噛みこみ構造等で気密構造をもたせる。そうすれば，外部との空気の流通をパネル間の継ぎ目のみに限定できる。また喫煙室１の周囲が非空調の場合に喫煙室１内の温熱環境を保証することができる。例えば，外来者用喫煙ブースで空調空気を取り入れるが，周囲は社内の荷捌き作業等をする空間などである場合が考えられる。また，喫煙室１を構築する際に，建物の壁面と床面を利用し，パネルは，例えば建物のコーナー部を利用する場合で床吹き出しの場合であれば，２面（コーナー以外の側面）で済む。２面の対向吹き出しタイプでも，側壁の１つに建物のガラス壁を利用すれば，３面で済む。
【産業上の利用可能性】
【００３６】
本発明は，近年の分煙の要請に応え，建物に喫煙を許容する空間をフレキシビリティ，アメニティとともに，低コストしかも省エネルギーで提供でき，建築設備として有益である。
【図面の簡単な説明】
【００３７】
【図１】本発明の実施の形態に係る喫煙室の構成を説明するための正面図である。
【図２】本発明の実施の形態に係る喫煙室の構成を説明するための平面図である。
【図３】テーブルと給気口および排気口が設けられている壁面の説明図である。
【図４】折畳み自在に構成したテーブルの説明図である。
【図５】壁面４面を互いに折り曲げ自在に接続した実施の形態に係る喫煙室の構成を説明するための平面図である。
【図６】更に，天井面の壁面寄りの箇所に吸引排気する排気口を設けた実施の形態に係る喫煙室の構成を説明するための正面図である。
【符号の説明】
【００３８】
１  喫煙室
１０ａ，１０ｂ，１０ｃ，１０ｄ  壁面
１１  天井面
１２  床面
１５  ドア
２０  テーブル
２５  給気口
２６，３５  排気口
２８  パンチングメタル
３１  排気チャンバ
３２  天井裏空間
３３  排気ファン
３４  ダクト
４０  遮蔽体
４１  開放空間
【図１】
0004704172.tif 000002
【図２】
0004704172.tif 000003
【図３】
0004704172.tif 000004
【図４】
0004704172.tif 000005
【図５】
0004704172.tif 000006
【図６】
0004704172.tif 000007